(57)【要約】 【課題】  波長分割多重化方式の光源及びこれを用いる受動型光加入者網を提供する。【解決手段】  波長軸上で周期的に所定の波長周期で離間して配置された相異なる波長帯域を有する複数の光を出力し、各波長帯域は複数の構成波長を有する複数の広帯域光源と、広帯域光源から入力された複数の光を多重化して出力する主低密度波長分割多重化器(Ｍ-ＣＷＤＭ)と、Ｍ-ＣＷＤＭから入力された多重化された光を複数の構成波長に対応するチャンネルにスペクトル分割することにより、所定の波長周期で離間された複数のチャンネルを各々有する複数のチャンネル群を生成する高密度波長分割多重化器(ＤＷＤＭ)とを含む。【選択図】  図１
2006304306.tif 000002
【特許請求の範囲】
【請求項１】
波長軸上で周期的に所定の波長周期で離間して配置された相異なる波長帯域を有する複数の光を出力し、前記各波長帯域は複数の構成波長を有する複数の広帯域光源と、
前記広帯域光源から入力された複数の光を多重化して出力する主低密度波長分割多重化器(Ｍ-ＣＷＤＭ)と、
前記Ｍ-ＣＷＤＭから入力された多重化された光を前記構成波長に対応するチャンネルにスペクトル分割することにより、前記所定の波長周期で離間した複数のチャンネルを各々有する複数のチャンネル群を生成する高密度波長分割多重化器(ＤＷＤＭ)と、
を含むことを特徴とする波長分割多重方式の光源。
【請求項２】
前記ＤＷＤＭと接続し、前記ＤＷＤＭから入力された該当チャンネル群を各々逆多重化して出力する複数の補助低密度波長分割多重化器(Ｓ-ＣＷＤＭ)をさらに含むことを特徴とする請求項１に記載の波長分割多重方式の光源。
【請求項３】
該当Ｓ-ＣＷＤＭと各々接続し、注入された該当チャンネルによって生成され、データの変調された光信号を出力する複数の光注入型光源を各々有する複数の光注入型光源群をさらに含むことを特徴とする請求項２に記載の波長分割多重方式の光源。
【請求項４】
前記複数の光注入型光源群から出力された光信号は、前記複数のＳ-ＣＷＤＭ及び前記ＤＷＤＭによって多重化され、
前記Ｍ-ＣＷＤＭと前記ＤＷＤＭとの間に配置され、前記Ｍ-ＣＷＤＭから入力された多重化された光を前記ＤＷＤＭに出力し、前記ＤＷＤＭから入力された多重化された光信号を前記波長分割多重方式の光源の外部に出力する光サーキュレータをさらに含むことを特徴とする請求項３に記載の波長分割多重方式の光源。
【請求項５】
前記所定の波長周期は、前記ＤＷＤＭの自由スペクトル間隔であることを特徴とする請求項１に記載の波長分割多重方式の光源。
【請求項６】
波長軸上で周期的に所定の波長周期で離間して配置され、複数の構成波長を各々有する相異なる波長帯域の光を前記構成波長に対応するチャンネルにスペクトル分割することにより、前記所定の波長周期で離間した複数のチャンネルを各々有する複数のチャンネル群を生成する高密度波長分割多重化器(ＤＷＤＭ)と、
前記ＤＷＤＭと接続し、前記ＤＷＤＭから入力された該当チャンネル群を各々逆多重化して出力する複数の補助低密度波長分割多重化器(Ｓ-ＣＷＤＭ)と、
該当Ｓ-ＣＷＤＭと各々接続し、注入された該当チャンネルによって生成され、データの変調された光信号を出力する複数の光注入型光源を各々有する複数の光注入型光源群と、
を含むことを特徴とする波長分割多重方式の光源。
【請求項７】
前記所定の波長周期は、前記ＤＷＤＭの自由スペクトル間隔であることを特徴とする請求項６に記載の波長分割多重方式の光源。
【請求項８】
多重化された光信号を出力する中央基地局と、
幹線光ファイバーを通じて前記中央基地局から入力された前記多重化された光信号を逆多重化して出力する地域基地局と、
複数の分配光ファイバー群を通じて前記地域基地局から入力された逆多重化された光信号を電気信号で検出する加入者装置と、を含み、
前記中央基地局は、
波長軸上で周期的に所定の波長周期で離間して配置され、複数の構成波長を各々有する相異なる波長帯域の光を前記構成波長に対応するチャンネルにスペクトル分割することにより、前記所定の波長周期で離間した複数のチャンネルを各々有する複数のチャンネル群を生成する高密度波長分割多重化器(ＤＷＤＭ)と、
前記ＤＷＤＭと接続し、前記ＤＷＤＭから入力された該当チャンネル群を各々逆多重化して出力する複数の補助低密度波長分割多重化器(Ｓ-ＣＷＤＭ)と、
該当Ｓ-ＣＷＤＭと各々接続し、注入された該当チャンネルによって生成され、データの変調された光信号を出力する複数の光注入型光源を各々有する複数の光注入型光源群と、
を含むことを特徴とする受動型光加入者網。
【請求項９】
前記中央基地局は、
複数の構成波長を有する所定の波長帯域の光を各々出力する複数の広帯域光源と、
前記広帯域光源から入力された複数の光を多重化して前記ＤＷＤＭに出力する主低密度波長分割多重化器(Ｍ-ＣＷＤＭ)と、
をさらに含むことを特徴とする請求項８に記載の受動型光加入者網。
【請求項１０】
前記所定の波長周期は、前記ＤＷＤＭの自由スペクトル間隔であることを特徴とする請求項８に記載の受動型光加入者網。
【請求項１１】
多重化された光信号を出力する中央基地局と、
幹線光ファイバーを通じて前記中央基地局から入力された前記多重化された光信号を逆多重化して出力する地域基地局と、
複数の分配光ファイバー群を通じて前記地域基地局から入力された逆多重化された光信号を電気信号で検出する加入者装置と、を含み、
前記地域基地局は、
前記中央基地局から入力された多重化された光信号を構成光信号に逆多重化することにより、自由スペクトル間隔で離間した複数の光信号を各々有する複数の光信号群を出力する高密度波長分割多重化器(ＤＷＤＭ)と、
前記ＤＷＤＭと接続し、前記ＤＷＤＭから入力された該当光信号群を各々逆多重化して出力する複数の補助低密度波長分割多重化器(Ｓ-ＣＷＤＭ)と、
を含むことを特徴とする受動型光加入者網。
【請求項１２】
波長軸上で周期的に所定の波長周期で離間して配置され、複数の構成波長を各々有する相異なる波長帯域の光を多重化して出力する中央基地局と、
幹線光ファイバーを通じて前記中央基地局から入力された前記多重化された光を前記構成波長に対応するチャンネルにスペクトル分割することにより、前記波長周期で離間した複数のチャンネルを各々有する複数のチャンネル群を出力する地域基地局と、
前記地域基地局から注入された該当チャンネル群によって生成され、データの変調された該当光信号群を出力する複数の光注入型光源を各々有する複数の光注入型光源群を備える加入者装置と、
を含むことを特徴とする受動型光加入者網。
【発明の詳細な説明】
【技術分野】
【０００１】
本発明は、受動型光加入者網に係り、特に、波長分割多重方式の光源及びこれを用いる受動型光加入者網に関する。
【背景技術】
【０００２】
光加入者網は、中央基地局と加入者装置を光ファイバーで接続して様々な広帯域サービスを提供する技術である。このとき、中央基地局と各加入者装置を１対１(point-to-point)接続することは多くの光ファイバーを必要とするので、加入者装置の近くに地域基地局を設け、中央基地局と地域基地局とは少数の幹線光ファイバーで接続し、地域基地局と各加入者装置とを分配光ファイバーを用いて１対１接続する方式が一般的である。
【０００３】
したがって、地域基地局は、中央基地局から入力された下り光信号を逆多重化し、加入者装置から入力された上り光信号を多重化する役割を行う。
【０００４】
光加入者網は、このような地域基地局に備えられた構成要素の電力供給の必要性に応じて、能動型光加入者網(Active optical network:ＡＯＮ)と受動型光加入者網(Passive optical network:ＰＯＮ)とに分けられる。現在では、地域基地局を維持、補修及び管理するコストが、能動型光加入者網に比べて相対的に安い受動型光加入者網が注目されている。
【０００５】
波長分割多重方式の受動型光加入者網(wavelength-division-multiplexed PON:ＷＤＭ ＰＯＮ)は、各加入者装置に別途の波長を割り当てるため、複数の加入者装置のための光源と、それから発生した複数の光信号を多重化するための波長分割多重化器とが必要である。ここで、光源と波長分割多重化器との間の波長整列を経済的な方法で実現することが、ネットワークの維持及び補修のためのコストの低減に重要な要因となる。
【０００６】
波長分割多重方式の光源としては、一般に分布帰還レーザーアレイ、高出力の発光ダイオードアレイ及びスペクトル分割方式の光源などが提案されている。最近では、光源の維持及び補修を容易にするために、光源の出力波長が光源に依存せず、外部から注入される光により決定される光注入型光源が提案されている。
【０００７】
このような光源としては、光注入型のファブリーペローレーザー(Fabry-Perot laser diode:ＦＰ-ＬＤ)と光注入型の反射型半導体光増幅器(reflective semiconductor optical amplifier:Ｒ-ＳＯＡ)とがある。光注入型光源の長所は、光源の波長が注入光に応じて決定されるため、一種の光源で特定の調整なしに相異なる波長の複数の光信号を出力できることである。
【０００８】
したがって、光源と波長分割多重化器との間に波長整列が不必要なので、ネットワークの運営、維持及び補修が簡単になる。また、波長分割多重化器を低価格化することが、波長分割多重方式の受動型光加入者網の経済的な実現のための重要な要因である。波長分割多重化器に用いられる代表的な素子である導波路列格子はまだ高価格である。
【０００９】
このような導波路列格子が高密度化するほど、その値段は高くなる。したがって、加入者装置の数を増大するために、波長分割多重方式の光源に備えられる波長分割多重化器を高密度化する場合、その実現のためのコストも増えるとともに、これを用いる光加入者網のコストも増えるという問題点がある。
【００１０】
上述したように、従来の波長分割多重方式の光源とこれを用いる光加入者網はその実現に要するコストが高いという問題点がある。
【００１１】
したがって、多い加入者装置を受容しながら、従来より経済的波長分割多重方式の光源及びこれを用いる光加入者網が要求される。
【発明の開示】
【発明が解決しようとする課題】
【００１２】
従来の問題点を解決するための本発明の目的は、多数の加入者装置を受容しながら、従来よりも経済的に実現できる波長分割多重方式の光源及びこれを用いた受動型光加入者網を提供することである。
【課題を解決するための手段】
【００１３】
このような目的を達成するために、本発明の波長分割多重方式の光源は、波長軸上で周期的に所定の波長周期で離間して配置された相異なる波長帯域を有する複数の光を出力し、各波長帯域は複数の構成波長を有する複数の広帯域光源と、広帯域光源から入力された複数の光を多重化して出力する主低密度波長分割多重化器(Ｍ-ＣＷＤＭ)と、Ｍ-ＣＷＤＭから入力された多重化された光を複数の構成波長に対応するチャンネルにスペクトル分割することにより、所定の波長周期で離間された複数のチャンネルを各々有する複数のチャンネル群を生成する高密度波長分割多重化器(ＤＷＤＭ)とを含む。
【００１４】
また、本発明の波長分割多重方式の光源は、波長軸上で周期的に所定の波長周期で離間して配置され、複数の構成波長を各々有する相異なる波長帯域の光をその構成波長に対応するチャンネルにスペクトル分割することにより、所定の波長周期で離間された複数のチャンネルを各々有する複数のチャンネル群を生成する高密度波長分割多重化器(ＤＷＤＭ)と、ＤＷＤＭと接続し、ＤＷＤＭから入力された該当チャンネル群を各々逆多重化して出力する複数の補助低密度波長分割多重化器(Ｓ-ＣＷＤＭ)と、該当Ｓ-ＣＷＤＭと各々接続し、注入された該当チャンネルによって生成され、データの変調された光信号を出力する複数の光注入型光源を各々有する複数の光注入型光源群とを含む。
【００１５】
また、本発明の受動型光加入者網は、多重化された光信号を出力する中央基地局と、幹線光ファイバーを通じて中央基地局から入力された多重化された光信号を逆多重化して出力する地域基地局と、複数の分配光ファイバー群を通じて地域基地局から入力された逆多重化された光信号を電気信号で検出する加入者装置とを含み、中央基地局は、波長軸上で周期的に所定の波長周期で離間して配置され、複数の構成波長を各々有する相異なる波長帯域の光をその構成波長に対応するチャンネルにスペクトル分割することにより、所定の波長周期で離間された複数のチャンネルを各々有する複数のチャンネル群を生成する高密度波長分割多重化器(ＤＷＤＭ)と、ＤＷＤＭと接続し、ＤＷＤＭから入力された該当チャンネル群を各々逆多重化して出力する複数の補助低密度波長分割多重化器(Ｓ-ＣＷＤＭ)と、該当Ｓ-ＣＷＤＭと各々接続し、注入された該当チャンネルによって生成され、データの変調された光信号を出力する複数の光注入型光源を各々有する複数の光注入型光源群とを含む。
【００１６】
また、本発明の受動型光加入者網は、多重化された光信号を出力する中央基地局と、幹線光ファイバーを通じて中央基地局から入力された多重化された光信号を逆多重化して出力する地域基地局と、複数の分配光ファイバー群を通じて地域基地局から入力された逆多重化された光信号を電気信号で検出する加入者装置とを含み、地域基地局は、中央基地局から入力された多重化された光信号を構成光信号に逆多重化することにより、自由スペクトル間隔で離間された複数の光信号を各々有する複数の光信号群を出力する高密度波長分割多重化器(ＤＷＤＭ)と、ＤＷＤＭと接続し、ＤＷＤＭから入力された該当光信号群を各々逆多重化して出力する複数の補助低密度波長分割多重化器(Ｓ-ＣＷＤＭ)とを含む。
【００１７】
また、本発明の受動型光加入者網は、波長軸上で周期的に所定の波長周期で離間して配置され、複数の構成波長を各々有する相異なる波長帯域の光を多重化して出力する中央基地局と、幹線光ファイバーを通じて中央基地局から入力された多重化された光をその構成波長に対応するチャンネルにスペクトル分割することにより、波長周期で離間された複数のチャンネルを各々有する複数のチャンネル群を出力する地域基地局と、地域基地局から注入された該当チャンネル群によって生成され、データの変調された該当光信号群を出力する複数の光注入型光源を各々有する複数の光注入型光源群を備える加入者装置とを含む。
【発明の効果】
【００１８】
本発明による波長分割多重方式の光源及びこれを用いる受動型光加入者網は、低密度波長分割多重化器と高密度波長分割多重化器の自由スペクトル間隔を用いてスペクトルを分割、逆多重化及び多重化することにより、従来より多い加入者装置を経済的に受容することができる。
【発明を実施するための最良の形態】
【００１９】
以下、本発明の好適な実施形態を添付図面を参照して詳細に説明する。なお、下記の説明において、本発明の要旨のみを明瞭にする目的で、関連した公知の機能又は構成に関する具体的な説明は省略する。
【００２０】
図１は、本発明の好ましい実施形態による波長分割多重方式の光源を示した図である。
【００２１】
波長分割多重方式の光源１００は、第１〜第Ｍの広帯域光源(broadband light source:ＢＬＳ)１１０-１〜１１０-Ｍと、主低密度波長分割多重化器(main coarse wavelength division multiplexer:Ｍ-ＣＷＤＭ)１２０と、光サーキュレータ(optical circulator:ＣＩＲ)１３０と、高密度波長分割多重化器(dense wavelength division multiplexer:ＤＷＤＭ)１４０と、第１〜第Ｎの補助低密度波長分割多重化器(secondary coarse wavelength division multiplexer:Ｓ-ＣＷＤＭ)１５０-１〜１５０-Ｎと、第１〜第Ｎの光注入型光源群１６０-１〜１６０-Ｎの光注入型光源(ＬＳ)１６０-１-１〜１６０-Ｎ-Ｍと、を含む。
【００２２】
以下、所定の帯域の光とは帯域を通じて所定の強度を示す光を示し、チャンネルとはデータが変調されていない所定の波長の光を示し、光信号とはデータが変調された所定の波長の光を示す。
【００２３】
図２は、図１に示した第１〜第Ｍの広帯域光源１１０-１〜１１０-Ｍから出力される第１〜第Ｍの帯域Ｂ1〜ＢMの光を示した図である。
【００２４】
図１及び図２を参照すれば、第１〜第Ｍの広帯域光源１１０-１〜１１０-Ｍは、Ｍ-ＣＷＤＭ１２０と接続し、第１〜第Ｍの帯域Ｂ1〜ＢMの光を出力する。第ｍの広帯域光源１１０-ｍは、第ｍの帯域Ｂmの光を出力し、第ｍの帯域は第((ｍ-１)Ｎ+１)〜第(ｍＮ)の構成波長λ((m-１)N+1)〜λ(mN)を含む。この際、ｍはＭ以下の自然数である。
【００２５】
第１〜第Ｍの帯域Ｂ1〜ＢMは波長軸上で周期的に配置される。例えば、第１の構成波長λ1と第(Ｎ+１)の構成波長λ(N+1)との波長間隔と、第(Ｎ+１)の構成波長λ(N+1)と第(２Ｎ+１)の構成波長λ(2N+1)との波長間隔とは同じである。第１〜第Ｍの広帯域光源１１０-１〜１１０-Ｍとしては、増幅された自発放出光(amplified spontaneous light:ＡＳＥ)を出力するエルビウム添加光ファイバー増幅器(erbium doped fiber amplifier:ＥＤＦＡ)を使用することができる。
【００２６】
Ｍ-ＣＷＤＭ１２０は、第１〜第Ｍの逆多重化ポート(demultiplexing port:ＤＰ)と多重化ポート(multiplexing port:ＭＰ)とを備える。第１〜第Ｍの逆多重化ポートＤＰ１〜ＤＰＭは、第１〜第Ｍの広帯域光源１１０-１〜１１０-Ｍと対応して１対１で接続し、多重化ポートＭＰは光サーキュレータ１３０と接続する。
【００２７】
Ｍ-ＣＷＤＭ１２０は、第１〜第Ｍの逆多重化ポートＤＰ１〜ＤＰＭに入力した第１〜第Ｍの帯域Ｂ1〜ＢMの光を多重化して多重化ポートＭＰに出力する。Ｍ-ＣＷＤＭ１２０及び第１〜第ＮのＳ-ＣＷＤＭ１５０-１〜１５０-Ｎとしては、１×Ｍ導波路列格子(arrayed waveguide grating:ＡＷＧ)を使用できる。
【００２８】
このとき、波長分割多重化器の密度とは、出力波長の周期的な波長の間隔を示し、高密度波長分割多重化器は、低密度波長分割多重化器に比べて、出力波長の間隔が狭い。
【００２９】
光サーキュレータ１３０は、第１〜第３のポートを備える。第１のポートは、Ｍ-ＣＷＤＭ１２０の多重化ポートＭＰと接続し、第２のポートはＤＷＤＭ１４０と接続し、第３のポートは外部装置又は光ファイバーと接続する。
【００３０】
光サーキュレータ１３０は、第１のポートに入力した多重化された光を第２のポートに出力し、第２のポートに入力した多重化された光信号を第３のポートに出力する。
【００３１】
図３は、図１に示したＤＷＤＭ１４０のスペクトル分割特性を説明するための図として、ＤＷＤＭ１４０の自由スペクトル間隔(free spectral range：ＦＳＲ)及び透過波長間隔は、第１〜第Ｍの帯域Ｂ1〜ＢMの波長周期及び構成波長間隔と同じく設定される。
【００３２】
図１及び図３を参照すれば、ＤＷＤＭ１４０は、多重化ポートＭＰと第１〜第Ｎの逆多重化ポートＤＰ１〜ＤＰＮとを備える。
【００３３】
多重化ポートＭＰは、光サーキュレータ１３０の第２のポートと接続し、第１〜第Ｎの逆多重化ポートＤＰ１〜ＤＰＮは、第１〜第ＮのＳ-ＣＷＤＭ１５０-１〜１５０-Ｎと対応して１対１で接続する。
【００３４】
ＤＷＤＭ１４０は、多重化ポートＭＰに入力された多重化された光をその構成波長に対応するチャンネルにスペクトル分割して第１〜第Ｎの逆多重化ポートＤＰ１〜ＤＰＮに出力し、第１〜第Ｎの逆多重化ポートＤＰ１〜ＤＰＮに入力された第１〜第Ｎの光信号群を多重化して多重化ポートＭＰに出力する。
【００３５】
ＤＷＤＭ１４０は、第ｎの逆多重化ポートＤＰｎに第ｎのチャンネル群の第１〜第Ｍのチャンネルを出力する。第ｎのチャンネル群の第ｍのチャンネルは第((ｍ-１)Ｎ+ｎ)の波長λ((m-１)N+n)を有する。このとき、ｎはＮ以下の自然数である。
【００３６】
第ｎのＳ-ＣＷＤＭ１５０-ｎは、多重化ポートＭＰと第１〜第Ｍの逆多重化ポートＤＰ１〜ＤＰＭとを備える。多重化ポートＭＰは、ＤＷＤＭ１４０の第ｎの逆多重化ポートＤＰｎと接続し、第１〜第Ｍの逆多重化ポートＤＰ１〜ＤＰＭは、第ｎの光注入型光源群１６０-ｎの第１〜第Ｍの光注入型光源１６０-ｎ-１〜１６０-ｎ-Ｍと対応して１対１で接続される。
【００３７】
第ｎのＳ-ＣＷＤＭ１５０-ｎは、多重化ポートＭＰに入力された第ｎのチャンネル群の第１〜第Ｍのチャンネルを逆多重化し、第１〜第Ｍの逆多重化ポートＤＰ１〜ＤＰＭに一つずつ出力し、第１〜第Ｍの逆多重化ポートＤＰ１〜ＤＰＭに順次に一つずつ入力された第ｎの光信号群の第１〜第Ｍの光信号を多重化して多重化ポートＭＰに出力する。
【００３８】
第ｎの光注入型光源群１６０-ｎの第ｍの光注入型光源１６０-ｎ-ｍは、第ｎのＳ-ＣＷＤＭ１５０-ｎの第ｍの逆多重化ポートＤＰｍから注入された第ｎのチャンネル群の第ｍのチャンネルによって生成されデータの変調された第ｎの光信号群の第ｍの光信号を、第ｎのＳ-ＣＷＤＭ１５０-ｎの第ｍの逆多重化ポートＤＰｍに出力する。
【００３９】
第ｎのチャンネル群の第ｍのチャンネルと第ｎの光信号群の第ｍの光信号とは、同じ波長を有する。第１〜第Ｎの光注入型光源群１６０-１〜１６０-Ｎの光注入型光源１６０-１-１〜１６０-Ｎ-Ｍとしては、ファブリーペローレーザーあるいは反射型の半導体光増幅器を使用できる。
【００４０】
図４は、光注入型ファブリーペローレーザーの入出力特性を説明するための図である。
【００４１】
ファブリーペローレーザー２１０は、複数の発振モード２２０を備え、入出力端に入力された注入光２３０の波長と一致する発振モードに応じて生成され、データの変調された光信号２４０を入出力端に出力する。
【００４２】
図５は、光注入型の反射型半導体光増幅器の入出力特性を説明するための図である。反射型の半導体光増幅器２５０は広い利得帯域２６０を持ち、入出力端に入力された注入光２７０を増幅させて生成され、データの変調された光信号２８０を入出力端に出力する。
【００４３】
図６は、図１に示した波長分割多重方式の光源内に進む第１〜第Ｎの光信号群ＳＧ１〜ＳＧＮの光信号を示した図である。
【００４４】
図に示したように、第１の光信号群ＳＧ1の第１,２，．．．,Ｍの光信号は、それぞれ、λ1，λ(N+1)，．．．，λ((M-１)N+1)の波長を順次に一つずつ有し、第２の光信号群ＳＧ2の第１,２，．．．,Ｍの光信号は、それぞれ、λ2，λ(N+2)，．．．，λ((M-１)N+2)の波長を順次に一つずつ有し、第Ｎの光信号群ＳＧNの第１，２，．．．，Ｍの光信号は、それぞれ、λN，λ(2N)，．．．，λ(MN)の波長を順次に一つずつ有する。
【００４５】
上述したような波長分割多重方式の光源は、任意の光加入者網に適用が可能である。以下、本発明の第１の実施形態に応じて受動型光加入者網の下り伝送を説明し、第２の実施形態に応じて受動型光加入者網の上り伝送を説明する。
【００４６】
図７は、本発明の好ましい第１の実施形態による波長分割多重方式の受動型光加入者網を示した図である。
【００４７】
受動型光加入者網３００は、中央基地局(central office:ＣＯ)３１０と、中央基地局３１０と幹線光ファイバー３８０を通じて接続した地域基地局(remote node:ＲＮ)３９０と、地域基地局３９０と第１〜第Ｎの分配光ファイバー群の分配光ファイバー４２０-１〜４２０-Ｎを通じて接続した加入者側装置群(subscriber side apparatus:ＳＵＢ)４３０とを含む。
【００４８】
中央基地局３１０は、第１〜第Ｍの広帯域光源３２０-１〜３２０-Ｍと、主低密度波長分割多重化器(Ｍ-ＣＷＤＭ)３３０と、光サーキュレータ(ＣＩＲ)３４０と、高密度波長分割多重化器(ＤＷＤＭ)３５０と、第１〜第Ｎの補助低密度波長分割多重化器(Ｓ-ＣＷＤＭ)３６０-１〜３６０-Ｎと、第１〜第Ｎの光注入型光源群３７０-１〜３７０-Ｎの光注入型光源３７０-１-１〜３７０-Ｎ-Ｍとを含む。
【００４９】
第１〜第Ｍの広帯域光源３２０-１〜３２０-Ｍは、Ｍ-ＣＷＤＭ３３０と接続し、第１〜第Ｍの帯域Ｂ1〜ＢMの光を出力する。第ｍの広帯域光源３２０-ｍは、第ｍの帯域Ｂmの光を出力し、第ｍの帯域はその構成波長として第((ｍ-１)Ｎ+１)〜第(ｍＮ)の構成波長λ(m-１)N+1)〜λ(mN)を含む。第１〜第Ｍの帯域Ｂ1〜ＢMは、波長軸上で周期的に配置される。
【００５０】
Ｍ-ＣＷＤＭ３３０は、第１〜第Ｍの逆多重化ポートＤＰ１〜ＤＰＭと多重化ポートＭＰとを備える。第１〜第Ｍの逆多重化ポートＤＰ１〜ＤＰＭは、第１〜第Ｍの広帯域光源３２０-１〜３２０-Ｍと対応して１対１で接続し、多重化ポートＭＰは、光サーキュレータ３４０と接続する。
【００５１】
Ｍ-ＣＷＤＭ３３０は、第１〜第Ｍの逆多重化ポートＤＰ１〜ＤＰＭに入力された第１〜第Ｍの帯域Ｂ1〜ＢMの光を多重化して多重化ポートＭＰに出力する。
【００５２】
光サーキュレータ３４０は、第１〜第３のポートを備える。第１のポートはＭ-ＣＷＤＭ３３０の多重化ポートＭＰと接続し、第２のポートはＤＷＤＭ３５０と接続し、第３のポートは幹線光ファイバー３８０と接続する。
【００５３】
光サーキュレータ３４０は、第１のポートに入力された多重化された光を第２のポートに出力し、第２のポートに入力された多重化された光信号を第３のポートに出力する。
【００５４】
ＤＷＤＭ３５０は、多重化ポートＭＰと第１〜第Ｎの逆多重化ポートＤＰ１〜ＤＰＮとを備える。多重化ポートＭＰは、光サーキュレータ３４０の第２のポートと接続し、第１〜第Ｎの逆多重化ポートＤＰ１〜ＤＰＮは、第１〜第ＮのＳ-ＣＷＤＭ３６０-１〜３６０-Ｎと対応して１対１で接続される。
【００５５】
ＤＷＤＭ３５０は、多重化ポートＭＰに入力された多重化された光をその構成波長に対応するチャンネルにスペクトル分割して第１〜第Ｎの逆多重化ポートＤＰ１〜ＤＰＮに出力し、第１〜第Ｎの逆多重化ポートＤＰ１〜ＤＰＮに入力された第１〜第Ｎの光信号群の光信号を多重化して多重化ポートＭＰに出力する。
【００５６】
ＤＷＤＭ３５０は、第ｎの逆多重化ポートＤＰｎに第ｎのチャンネル群の第１〜第Ｍのチャンネルを出力し、第ｎのチャンネル群の第ｍのチャンネルは、第((ｍ-１)Ｎ+ｎ)の波長を有する。ＤＷＤＭ３５０の自由スペクトル間隔は、第１〜第Ｍの帯域の波長周期と同じく設定される。
【００５７】
第ｎのＳ-ＣＷＤＭ３６０-ｎは、多重化ポートＭＰと第１〜第Ｍの逆多重化ポートＤＰ１〜ＤＰＭとを備える。多重化ポートＭＰは、ＤＷＤＭ３５０の第ｎの逆多重化ポートＤＰｎと接続し、第１〜第Ｍの逆多重化ポートＤＰ１〜ＤＰＭは、第ｎの光注入型光源群３７０-ｎの第１〜第Ｍの光注入型光源３７０-Ｎ-１〜３７０-Ｎ-Ｍと対応して１対１で接続される。
【００５８】
第ｎのＳ-ＣＷＤＭ３６０-ｎは、多重化ポートＭＰに入力された第ｎのチャンネル群の第１〜第Ｍのチャンネルを逆多重化して第１〜第Ｍの逆多重化ポートＤＰ１〜ＤＰＭに順次に一つずつ出力し、第１〜第Ｍの逆多重化ポートＤＰ１〜ＤＰＭに順次に一つずつ入力された第ｎの光信号群の第１〜第Ｍの光信号を多重化して多重化ポートＭＰに出力する。
【００５９】
第ｎの光注入型光源群３７０-ｎの第ｍの光注入型光源３７０-ｎ-ｍは、第ｎのＳ-ＣＷＤＭ３６０-ｎの第ｍの逆多重化ポートから注入された第ｎのチャンネル群の第ｍのチャンネルによって生成され、データの変調された第ｎの光信号群の第ｍの光信号を第ｎのＳ-ＣＷＤＭ３６０-ｎの第ｍの逆多重化ポートＤＰｍに出力する。
【００６０】
第ｎのチャンネル群の第ｍのチャンネルと第ｎの光信号群の第ｍの光信号とは同じ波長を有する。
【００６１】
地域基地局３９０は、ＤＷＤＭ４００と、第１〜第ＮのＣＷＤＭ４１０-１〜４１０-Ｎとを含む。
【００６２】
ＤＷＤＭ４００は、多重化ポートＭＰと第１〜第Ｎの逆多重化ポートＤＰ１〜ＤＰＮとを備える。多重化ポートＭＰは、幹線光ファイバー３８０と接続し、第１〜第Ｎの逆多重化ポートＤＰ１〜ＤＰＮは、第１〜第ＮのＣＷＤＭ４１０-１〜４１０-Ｎと対応して１対１で接続する。
【００６３】
ＤＷＤＭ４００は、多重化ポートＭＰに入力された多重化された光信号を、その構成光信号に逆多重化して、第１〜第Ｎの逆多重化ポートＤＰ１〜ＤＰＮに出力する。ＤＷＤＭ４００は、第ｎの逆多重化ポートＤＰｎに第ｎの光信号群の第１〜第Ｍの光信号を出力する。ＤＷＤＭ４００は、中央基地局３１０のＤＷＤＭ３５０と同じ自由スペクトル間隔を有する。
【００６４】
第ｎのＣＷＤＭ４１０-ｎは、多重化ポートＭＰと第１〜第Ｍの逆多重化ポートＤＰ１〜ＤＰＭとを備える。多重化ポートＭＰは、ＤＷＤＭ４００の第ｎの逆多重化ポートＤＰｎと接続し、第１〜第Ｍの逆多重化ポートＤＰ１〜ＤＰＭは、第ｎの分配光ファイバー群４２０-ｎの分配光ファイバーと対応して１対１で接続する。
【００６５】
第ｎのＣＷＤＭ４１０-ｎは、多重化ポートＭＰに入力された第ｎのチャンネル群の第１〜第Ｍのチャンネルを逆多重化して第１〜第Ｍの逆多重化ポートＤＰ１〜ＤＰＭに順次に一つずつ出力する。
【００６６】
加入者側装置群４３０は、第１〜第Ｎの光受信器群４３０-１〜４３０-Ｎの光受信器４３０-１-１〜４３０-Ｎ-Ｍを含み、第ｎの光受信器群４３０-ｎの第１〜第Ｍの光受信器４３０-ｎ-１〜４３０-ｎ-Ｍは、第ｎの分配光ファイバー群４２０-ｎの分配光ファイバーと対応して１対１で接続する。
【００６７】
第ｎの光受信器群４３０-ｎの第ｍの光受信器４３０-ｎ-ｍは、第ｎの分配光ファイバー群４２０-ｎの該当分配光ファイバーを通じて第ｎのＣＷＤＭ４１０-ｎの第ｍの逆多重化ポートＤＰｍと接続し、入力された第ｎの光信号群の第ｍの光信号を電気信号として検出する。
【００６８】
図８は、本発明の好ましい第２の実施形態による波長分割多重方式の受動型光加入者網を示した図である。
【００６９】
受動型光加入者網５００は、中央基地局(ＣＯ)５１０と、中央基地局５１０と幹線光ファイバー５９０を通じて接続した地域基地局(ＲＮ)６００と、地域基地局６００と第１〜第Ｎの分配光ファイバー群の分配光ファイバー６３０-１〜６３０-Ｎを通じて接続した加入者側装置群(ＳＵＢ)６４０とを含む。
【００７０】
図８においては、理解の便宜上、上り波長帯域に属する光、チャンネル及び光信号を点線で表示し、下り波長帯域に属する光、チャンネル及び光信号を実線で表示する。
【００７１】
中央基地局５１０は、第１〜第Ｍの下り広帯域光源(downstream ＢＬＳ:ＤＢＬＳ)５２０-１〜５２０-Ｍと、第１〜第Ｍの上り広帯域光源(upstream ＢＬＳ:ＵＢＬＳ)５３０-１〜５３０-Ｍと、第１及び第２の主低密度波長分割多重化器(Ｍ-ＣＷＤＭ)５４０-１,５４０-２と、光結合器(optical coupler:ＣＰ)５５０と、高密度波長分割多重化器(ＤＷＤＭ)５６０と、第１〜第Ｎの補助低密度波長分割多重化器(Ｓ-ＣＷＤＭ)５７０-１〜５７０-Ｎと、第１〜第Ｎの光注入型光源群５８０-１〜５８０-Ｎの光注入型光源５８０-１-１〜５８０-Ｎ-Ｍとを含む。
【００７２】
図９は、第１〜第Ｍの下り帯域ＤＢ１〜ＤＢＭと第１’〜第Ｍ'の上り帯域ＵＢ１〜ＵＢＭを示した図である。
【００７３】
図８及び図９を参照すれば、第１〜第Ｍの下り広帯域光源５２０-１〜５２０-Ｍは、第１のＭ-ＣＷＤＭ５４０-１と接続し、第１〜第Ｍの下り帯域ＤＢ1〜ＤＢMの光を出力する。
【００７４】
第ｍの下り広帯域光源５２０-ｍは、第ｍの下り帯域ＤＢmの光を出力し、第ｍの下り帯域ＤＢmは、その構成波長として第((ｍ-１)Ｎ+１)〜第(ｍＮ)の構成波長λ((m-１)N+1)〜λ(mN)を含む。第１〜第Ｍの下り帯域ＤＢ１〜ＤＢＭは波長軸上で周期的に配置される。
【００７５】
第１のＭ-ＣＷＤＭ５４０-１は、第１〜第Ｍの逆多重化ポートＤＰ１〜ＤＰＭと多重化ポートＭＰとを備える。第１〜第Ｍの逆多重化ポートＤＰ１〜ＤＰＭは、第１〜第Ｍの下り広帯域光源５２０-１〜５２０-Ｍと対応して１対１で接続し、多重化ポートＭＰは、光結合器５５０と接続する。第１のＭ-ＣＷＤＭ５４０-１は、第１〜第Ｍの逆多重化ポートＤＰ１〜ＤＰＭに入力された第１〜第Ｍの下り帯域ＤＢ１〜ＤＢＭの光を多重化して多重化ポートＭＰに出力する。
【００７６】
第１〜第Ｍの上り広帯域光源５３０-１〜５３０-Ｍは、第２のＭ-ＣＷＤＭ５４０-２と接続し、第１〜第Ｍの上り帯域ＵＢ１〜ＵＢＭの光を出力する。第ｍの上り広帯域光源５３０-ｍは、第ｍの上り帯域ＵＢｍの光を出力し、第ｍの上り帯域ＵＢｍはその構成波長として第((ｍ-１)Ｎ+１)）'〜第(ｍＮ)'の構成波長λ((m-１)N+1)'〜λ(mN)'を含む。第１〜第Ｍの上り帯域ＵＢ１〜ＵＢＭは、波長軸上で周期的に配置される。
【００７７】
第２のＭ-ＣＷＤＭ５４０-２は、第１〜第Ｍの逆多重化ポートＤＰ１〜ＤＰＭと多重化ポートＭＰとを備える。第１〜第Ｍの逆多重化ポートＤＰ１〜ＤＰＭは、第１〜第Ｍの上り広帯域光源５３０-１〜５３０-Ｍと対応して１対１で接続し、多重化ポートＭＰは、光結合器５５０と接続する。第２のＭ-ＣＷＤＭ５４０-２は、第１〜第Ｍの逆多重化ポートＤＰ１〜ＤＰＭに入力された第１〜第Ｍの上り帯域ＵＢ１〜ＵＢＭの光を多重化して多重化ポートに出力する。
【００７８】
光結合器５５０は、第１〜第４のポートを備える。第１のポートは、第２のＭ-ＣＷＤＭ５４０-２の多重化ポートＭＰと接続し、第２のポートは、第１のＭ-ＣＷＤＭ５４０-１の多重化ポートＭＰと接続し、第３のポートは、ＤＷＤＭ５６０と接続し、第４のポート、は幹線光ファイバー５９０と接続する。
【００７９】
光結合器５５０は、第１のポートに入力された多重化された光を第４のポートに出力し、第２のポートに入力された多重化された光を第３のポートに出力する。また、光結合器５５０は、第３のポートに入力された多重化された下り光信号を第４のポートに出力し、第４のポートに入力された多重化された上り光信号を第３のポートに出力する。
【００８０】
ＤＷＤＭ５６０は、多重化ポートＭＰと第１〜第Ｎの逆多重化ポートＤＰ１〜ＤＰＮとを備える。多重化ポートＭＰは、光結合器５５０の第３のポートと接続し、第１〜第Ｎの逆多重化ポートＤＰ１〜ＤＰＮは、第１〜第ＮのＳ-ＣＷＤＭ５７０-１〜５７０-Ｎと対応して１対１で接続する。
【００８１】
ＤＷＤＭ５６０は、多重化ポートＭＰに入力された多重化された光をその構成波長に対応する下りチャンネルにスペクトル分割して第１〜第Ｎの逆多重化ポートＤＰ１〜ＤＰＮに出力し、第１〜第Ｎの逆多重化ポートＤＰ１〜ＤＰＮに入力された第１〜第Ｎの下り光信号群の下り光信号を多重化して多重化ポートＭＰに出力する。
【００８２】
ＤＷＤＭ５６０は、第ｎの逆多重化ポートに第ｎの下りチャンネル群の第１〜第Ｍの下りチャンネルを出力し、第ｎの下りチャンネル群の第ｍの下りチャンネルは第((ｍ-１)Ｎ+ｎ)の波長を有する。
【００８３】
さらに、ＤＷＤＭ５６０は、多重化ポートＭＰに入力された多重化された上り光信号を逆多重化して第１〜第Ｎの逆多重化ポートＤＰ１〜ＤＰＮに出力する。ＤＷＤＭ５６０は、第ｎの逆多重化ポートに第ｎの上り光信号群の第１〜第Ｍの上り光信号を出力し、第ｎの上り光信号群の第ｍの上り光信号は第((ｍ-１)Ｎ+ｎ)'の波長を有する。
【００８４】
ＤＷＤＭ５６０の自由スペクトル間隔は、第１〜第Ｍの下り帯域ＤＢ１〜ＤＢＭの波長周期と同じく設定され、第１〜第Ｍの上り帯域ＵＢ１〜ＵＢＭの波長周期は、自由スペクトル間隔と同じである。
【００８５】
第ｎのＳ-ＣＷＤＭ５７０-ｎは、多重化ポートＭＰと第１〜第Ｍの逆多重化ポートＤＰ１〜ＤＰＭとを備える。多重化ポートＭＰは、ＤＷＤＭ５６０の第ｎの逆多重化ポートＤＰｎと接続し、第１〜第Ｍの逆多重化ポートＤＰ１〜ＤＰＭは、第ｎの光注入型光源群５８０-ｎの第１〜第Ｍの光注入型光源５８０-Ｎ-１〜５８０-Ｎ-Ｍと対応して１対１で接続する。
【００８６】
第ｎのＳ-ＣＷＤＭ５７０-ｎは、多重化ポートＭＰに入力された第ｎの下りチャンネル群の第１〜第Ｍの下りチャンネルを逆多重化して、第１〜第Ｍの逆多重化ポートＤＰ１〜ＤＰＭに順次に一つずつ出力し、第１〜第Ｍの逆多重化ポートＤＰ１〜ＤＰＭに順次に一つずつ入力された第ｎの下り光信号群の第１〜第Ｍの下り光信号を多重化して多重化ポートＭＰに出力する。
【００８７】
また、第ｎのＳ-ＣＷＤＭ５７０-ｎは、多重化ポートＭＰに入力された第ｎの上り光信号群の第１〜第Ｍの上り光信号を逆多重化して第１〜第Ｍの逆多重化ポートＤＰ１〜ＤＰＭに順次に一つずつ出力する。 
【００８８】
第ｎの光送受信器群５８０-ｎの第ｍの光送受信器５８０-ｎ-ｍは、第ｎのＳ-ＣＷＤＭ５７０-ｎの第ｍの逆多重化ポートＤＰｍから注入された第ｎの下りチャンネル群の第ｍの下りチャンネルによって生成され、データの変調された第ｎの下り光信号群の第ｍの下り光信号を第ｎのＳ-ＣＷＤＭ５７０-ｎの第ｍの逆多重化ポートＤＰｍに出力する。
【００８９】
第ｎの下りチャンネル群の第ｍの下りチャンネルと第ｎの下り光信号群の第ｍの下り光信号とは、同じ波長を有する。また、第ｎの光送受信器群５８０-ｎの第ｍの光送受信器５８０-ｎ-ｍは、第ｎのＳ-ＣＷＤＭ５７０-ｎの第ｍの逆多重化ポートＤＰｍから入力された第ｎの上り光信号群の第ｍの上り光信号を電気信号として検出する。
【００９０】
地域基地局６００は、ＤＷＤＭ６１０と、第１〜第ＮのＣＷＤＭ６２０-１〜６２０-Ｎとを含む。
【００９１】
ＤＷＤＭ６１０は、多重化ポートＭＰと第１〜第Ｎの逆多重化ポートＤＰ１〜ＤＰＮとを備え、多重化ポートＭＰは、幹線光ファイバー５９０と接続し、第１〜第Ｎの逆多重化ポートＤＰ１〜ＤＰＮは、第１〜第ＮのＣＷＤＭ６２０-１〜６２０-Ｎと対応して１対１で接続される。
【００９２】
ＤＷＤＭ６１０は、多重化ポートＭＰに入力された多重化された光をその構成波長に対応する上りチャンネルにスペクトル分割して、第１〜第Ｎの逆多重化ポートＤＰ１〜ＤＰＮに出力し、第１〜第Ｎの逆多重化ポートＤＰ１〜ＤＰＮに入力された第１〜第Ｎの上り光信号群の上り光信号を多重化して多重化ポートＭＰに出力する。
【００９３】
ＤＷＤＭ６１０は、第ｎの逆多重化ポートＤＰｎに第ｎの上りチャンネル群の第１〜第Ｍの上りチャンネルを出力する。また、ＤＷＤＭ６１０は、多重化ポートＭＰに入力された多重化された下り光信号を逆多重化して第１〜第Ｎの逆多重化ポートＤＰ１〜ＤＰＮに出力する。ＤＷＤＭ６１０は、第ｎの逆多重化ポートＤＰｎに第ｎの下り光信号群の第１〜第Ｍの下り光信号を出力する。ＤＷＤＭ６１０は、中央基地局５１０のＤＷＤＭ５６０と同じ自由スペクトル間隔を有する。
【００９４】
第ｎのＣＷＤＭ６２０-ｎは、多重化ポートＭＰと第１〜第Ｍの逆多重化ポートＤＰ１〜ＤＰＭとを備え、多重化ポートＭＰは、ＤＷＤＭ６１０の第ｎの逆多重化ポートＤＰｎと接続し、第１〜第Ｍの逆多重化ポートＤＰ１〜ＤＰＭは、第ｎの分配光ファイバー群６３０-ｎの分配光ファイバーと対応して１対１で接続する。
【００９５】
第ｎのＣＷＤＭ６２０-ｎは、多重化ポートＭＰに入力された第ｎのチャンネル群の第１〜第Ｍのチャンネルを逆多重化して第１〜第Ｍの逆多重化ポートＤＰ１〜ＤＰＭに順次に一つずつ出力し、第１〜第Ｍの逆多重化ポートＤＰ１〜ＤＰＭに一つずつ入力された第ｎの上り光信号群の第１〜第Ｍの上り光信号を多重化して多重化ポートＭＰに出力する。
【００９６】
また、第ｎのＣＷＤＭ６２０-ｎは、多重化ポートＭＰに入力された第ｎの下り光信号群の第１〜第Ｍの下り光信号を逆多重化して第１〜第Ｍの逆多重化ポートＤＰ１〜ＤＰＭに一つずつ出力する。
【００９７】
加入者側装置群６４０は、第１〜第Ｎの光送受信器群６４０-１〜６４０-Ｎの光送受信器６４０-１-１〜６４０-Ｎ-Ｍを含み、第ｎの光送受信器群６４０-ｎの第１〜第Ｍの光送受信器６４０-ｎ-１〜６４０-ｎ-Ｍは第ｎの分配光ファイバー群６３０-ｎの分配光ファイバーと対応して１対１で接続する。 
【００９８】
第ｎの光受信器群６４０-ｎの第ｍの光受信器６４０-ｎ-ｍは、第ｎの分配光ファイバー群６４０-ｎの該当分配光ファイバーを通じて、第ｎのＣＷＤＭ６３０-ｎの第ｍの逆多重化ポートと接続する。
【００９９】
第ｎの光送受信器群６４０-ｎの第ｍの光送受信器６４０-ｎ-ｍは、第ｎのＣＷＤＭ６３０-ｎの第ｍの逆多重化ポートＤＰｍから注入された第ｎの上りチャンネル群の第ｍの上りチャンネルによって生成され、データの変調された第ｎの上り光信号群の第ｍの上り光信号を第ｎのＣＷＤＭ６３０-ｎの第ｍの逆多重化ポートＤＰｍに出力する。
【０１００】
第ｎの上りチャンネル群の第ｍの上りチャンネルと第ｎの上り光信号群の第ｍの上り光信号とは同じ波長を有する。また、第ｎの光送受信器群６４０-ｎの第ｍの光送受信器６４０-ｎ-ｍは第ｎのＳ-ＣＷＤＭ６３０-ｎの第ｍの逆多重化ポートＤＰｍから入力された第ｎの下り光信号群の第ｍの下り光信号を電気信号として検出する。
【０１０１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１０２】
【図１】本発明の好ましい実施形態による波長分割多重方式の光源を示した図である。
【図２】図１に示した第１〜第Ｍの広帯域光源から出力される第１〜第Ｍの帯域の光を示した図である。
【図３】図１に示したＤＷＤＭのスペクトル分割の特性を説明するための図である。
【図４】光注入型のファブリーペローレーザーの入出力特性を説明するための図である。
【図５】光注入型の反射型半導体光増幅器の入出力特性を説明するための図である。
【図６】図１に示した波長分割多重方式の光源内に進む第１〜第Ｎのチャンネル群のチャンネルを示した図である。
【図７】本発明の好ましい第１の実施形態による波長分割多重方式の受動型光加入者網を示した図である。
【図８】本発明の好ましい第２の実施形態による波長分割多重方式の受動型光加入者網を示した図である。
【図９】第１〜第Ｍの下り帯域と第１'〜第Ｍ'の上り帯域とを示した図である。
【符号の説明】
【０１０３】
１００：波長分割多重方式の光源
１１０-１〜１１０-Ｍ：広帯域光源
１２０：主低密度波長分割多重化器
１３０：光サーキュレータ
１４０：高密度波長分割多重化器
１５０-１〜１５０-Ｎ：補助低密度波長分割多重化器
１６０-１-１〜１６０-Ｎ-Ｍ：光注入型光源
【図１】
2006304306.tif 000003
【図２】
2006304306.tif 000004
【図３】
2006304306.tif 000005
【図４】
2006304306.tif 000006
【図５】
2006304306.tif 000007
【図６】
2006304306.tif 000008
【図７】
2006304306.tif 000009
【図８】
2006304306.tif 000010
【図９】
2006304306.tif 000011